(57)【要約】【課題】移動形態や設置施設の特徴に合致した適切な充電時間で充電を行う充電スタンドを検索できるナビゲーション装置を提供する。【解決手段】目的地までの走行に消費されるバッテリ充電量ａと、目的地到着時の残充電量ｎと、現在位置のバッテリ充電量ｐとをもとに、目的地到着時の残充電量ｎが確保されるように目的地まで走行する場合の総充電量Ｖ１を算出し、総充電量Ｖ１と、充電スタンドでの充電時間Ｔｃから換算した充電量とをもとに案内経路上を目的地まで走行するときの充電回数Ｃｃを算出する。目的地までの距離Ｌと充電回数Ｃｃとから算出した目的地からの仮想充電スタンド間距離ＬＬ内で最終充電スタンドを道路地図データベースをもとに検索し、最終充電スタンドを基点として仮想充電スタンド間距離ＬＬ内で最も離れた充電スタンドを次の基点として検索し充電スタンドの検索を少なくとも充電回数分繰り返す。【選択図】図１
2012198081.tif 000002
【特許請求の範囲】
【請求項１】
自車両の現在位置を検出する現在位置検出部と、
目的地を設定する目的地設定手段と、
充電スタンドの位置情報を含む充電スタンド情報および道路地図情報を記憶した道路地図データベースと、
前記現在位置検出部で検出した現在位置から前記目的地までの案内経路および距離を前記道路地図データベースの道路地図情報上で検索し算出する経路検索部と、
前記経路検索部で検索された案内経路で走行した場合、目的地までの経路中で新たに必要となる充電量を算出する総充電量算出部と、
前記経路検索部で検索された案内経路に近接する複数の充電スタンドを設定し、前記総充電量算出部で算出された総充電量に基づいて各充電スタンドでの充電量を設定する充電スタンド管理部と
を備えたことを特徴とするナビゲーション装置。
【請求項２】
前記充電スタンド管理部は、
充電スタンドにおいて充電を行う充電時間を設定する充電時間設定手段を備え、
各充電スタンドでの充電量は前記充電時間設定手段で設定された充電時間によって算出されることを特徴とする請求項１記載のナビゲーション装置。
【請求項３】
前記目的地到着時に前記自車両のバッテリに残存しているべき残充電量を設定する残充電量設定手段と、
前記バッテリに蓄えられている現在のバッテリ充電量を検出するバッテリ管理部とを備え、
前記総充電量算出部は前記自車両が前記案内経路に従った前記目的地までの走行に消費されるバッテリ充電量と、前記残充電量設定手段により設定された前記残充電量と、前記バッテリ管理部により検出された現在のバッテリ充電量とをもとに、前記目的地到着時に前記残充電量が確保されるように前記目的地まで走行するために充電されるべき総充電量を算出し、
前記充電スタンド管理部は、前記総充電量算出部により算出した前記総充電量と、前記充電時間設定手段により設定した充電時間から換算した充電量とをもとに、前記案内経路に従って前記目的地まで走行するときの充電回数を算出する充電回数算出部と、
前記案内経路上の前記目的地までの距離と、前記充電回数算出部で算出した充電回数とをもとに前記案内経路上の仮想充電スタンド間距離を算出し、前記案内経路上で前記目的地から前記仮想充電スタンド間距離の範囲内で前記目的地から最も離れた充電スタンドを最後に充電する最終充電スタンドとして、前記道路地図データベースの道路地図情報および充電スタンド情報をもとに検索し、次に、前記検索した最終充電スタンドを基点として、前記基点から前記案内経路上での前記仮想充電スタンド間距離の範囲内で、最も離れた充電スタンドを次の基点として前記道路地図データベースの道路地図情報および充電スタンド情報をもとに検索し、このように前記仮想充電スタンド間距離の範囲内の充電スタンドの検索を少なくとも前記充電回数分繰り返す充電スタンド検索部と、
前記検索された充電スタンドを、表示された前記道路地図上の案内経路上へ出力する出力部と、
を備えたことを特徴とする請求項１または２に記載のナビゲーション装置。
【請求項４】
前記検索された複数の充電スタンドのうちの１つの充電スタンドに対して前記充電時間設定手段で設定された前記充電時間を変更可能にする充電時間変更操作部と、
前記充電時間変更操作部により充電時間が変更されると、変更された充電時間に基づいて前記１つの充電スタンドから前記目的地側の前記仮想充電スタンド間距離を再算出し、前記再算出された仮想充電スタンド間距離に基づいて、前記充電スタンド検索部で検索された充電スタンドの再検索を行う充電スタンド再計算部と、
をさらに備えたことを特徴とする請求項３記載のナビゲーション装置。
【請求項５】
前記道路地図データベースは前記充電スタンドが設置されている施設情報を記憶し、
前記充電時間設定手段は、前記施設情報に基づいて充電時間を設定することを特徴とする請求項２から４の何れかに記載のナビゲーション装置。
【請求項６】
滞在時間が長くなるほど優先度が高くなるように前記滞在時間と対応させて充電スタンドの設置施設の優先順位を規定する優先順位表を設定する優先順位表設定手段と、
前記優先順位表の最上位の優先順位の設置施設について、その滞在時間を充電時間としたときの充電量が、前記目的地到着時の残充電量を確保できるとともに前記目的地まで走行可能である範囲に入る設置施設を前記道路地図データベースをもとに検索する設置施設検索部と、
前記設置施設検索部により、前記範囲に入る設置施設がないと判定されると、前記優先順位表に従って優先順位を前記設置施設検索部が検索した設置施設に対して一段下げた設置施設について、その滞在時間を充電時間としたときの充電量が、前記目的地到着時の残充電量を確保できるとともに前記目的地まで走行可能である範囲に入る設置施設が検索されるまで前記設置施設の検索を前記道路地図データベースをもとに繰り返す設置施設再検索部と、
前記設置施設検索部または前記設置施設再検索部が検索した設置施設を第１の設置施設としたとき、前記第１の設置施設まで出発前の充電量で走行可能であるか否かを判定し、走行可能であると判定すると、前記第１の設置施設を案内すべき設置施設として決定し、走行可能でないと判定すると、前記第１の設置施設を案内すべき設置施設として決定すると共に、前記優先順位表に従って優先順位を前記第１の設置施設に対して一段下げた設置施設について、その滞在時間を充電時間としたときの充電量で走行可能な範囲に前記第１の設置施設が入り、かつ、前記出発前の充電量で現在位置から走行可能な範囲に入る設置施設が検索されるまで前記設置施設の検索を前記道路地図データベースをもとに繰り返し、検索された設置施設を案内すべき第２の設置施設として決定する最終設置施設判定部と、
前記最終設置施設判定部により決定された前記案内すべき設置施設を、表示された前記道路地図上の案内経路上へ出力する出力部と、
を備えたことを特徴とするナビゲーション装置。
【発明の詳細な説明】
【技術分野】
【０００１】
本発明は、電気自動車で目的地へ向かって移動する場合、長時間、１か所の充電スタンドで充電のために留まることのないように充電時間を含む適切な充電スタンドを案内できるようにしたナビゲーション装置に関する。
【背景技術】
【０００２】
近年、地球環境への影響を極力軽減した電気自動車が普及しつつある。この電気自動車は、バッテリ、例えばリチウムイオン電池を搭載し、このバッテリに充電した電気エネルギーを利用して電動機を駆動させ、この電動機で発生させた駆動力で走行するものである。このため、バッテリに蓄えた電気エネルギーで走行できる範囲が電気自動車による移動可能なエリアとなることから、バッテリに蓄えた電気エネルギーが無くなる前に充電スタンドに到着し、搭載しているバッテリに充電する必要がある。
また、充電スタンドでの電気自動車の充電時間については、急速充電を行う充電スタンドであっても、搭載しているバッテリを充電するには相応な充電時間を要するのが現状である。
このような電気自動車で走行するときの、現在のバッテリの残存容量を考慮した走行可能範囲内にある充電スタンドを検索するナビゲーションシステムがある（特許文献１参照）。
このナビゲーションシステムは、電気自動車のバッテリの残存容量が一定のレベル以下になると、そのときの走行可能距離を算出し、走行可能範囲内にある充電スタンドを、到達可能性に係わる識別情報とともに出力する。
【先行技術文献】
【特許文献】
【０００３】
【特許文献１】特開平０９−２１０７０２号公報
【発明の概要】
【発明が解決しようとする課題】
【０００４】
したがって、従来のナビゲーション装置では、電気自動車で移動する場合の移動形態や充電スタンドの設置施設の特徴に合致した充電時間を考慮した充電スタンドは検索できないという課題があった。
【０００５】
本発明は、このような事情に鑑みてなされたものであり、電気自動車で移動する場合の移動形態や設置施設の特徴に合致した適切な充電時間で充電を行う充電スタンドを検索できるナビゲーション装置を提供することを目的とする。
【課題を解決するための手段】
【０００６】
請求項１に記載の発明は、自車両の現在位置を検出する現在位置検出部と、目的地を設定する目的地設定手段と、充電スタンドの位置情報を含む充電スタンド情報および道路地図情報を記憶した道路地図データベースと、前記現在位置検出部で検出した現在位置から前記目的地までの案内経路および距離を前記道路地図データベースの道路地図情報上で検索し算出する経路検索部と、前記経路検索部で検索された案内経路で走行した場合、目的地までの経路中で新たに必要となる充電量を算出する総充電量算出部と、前記経路検索部で検索された案内経路に近接する複数の充電スタンドを設定し、前記総充電量算出部で算出された総充電量に基づいて各充電スタンドでの充電量を設定する充電スタンド管理部とを備えたことを特徴とする。
【０００７】
請求項６に記載の発明は、滞在時間が長くなるほど優先度が高くなるように前記滞在時間と対応させて充電スタンドの設置施設の優先順位を規定する優先順位表を設定する優先順位表設定手段と、前記優先順位表の最上位の優先順位の設置施設について、その滞在時間を充電時間としたときの充電量が、前記目的地到着時の残充電量を確保できるとともに前記目的地まで走行可能である範囲に入る設置施設を前記道路地図データベースをもとに検索する設置施設検索部と、前記設置施設検索部により、前記範囲に入る設置施設がないと判定されると、前記優先順位表に従って優先順位を前記設置施設検索部が検索した設置施設に対して一段下げた設置施設について、その滞在時間を充電時間としたときの充電量が、前記目的地到着時の残充電量を確保できるとともに前記目的地まで走行可能である範囲に入る設置施設が検索されるまで前記設置施設の検索を前記道路地図データベースをもとに繰り返す設置施設再検索部と、前記設置施設検索部または前記設置施設再検索部が検索した設置施設を第１の設置施設としたとき、前記第１の設置施設まで出発前の充電量で走行可能であるか否かを判定し、走行可能であると判定すると、前記第１の設置施設を案内すべき設置施設として決定し、走行可能でないと判定すると、前記第１の設置施設を案内すべき設置施設として決定すると共に、前記優先順位表に従って優先順位を前記第１の設置施設に対して一段下げた設置施設について、その滞在時間を充電時間としたときの充電量で走行可能な範囲に前記第１の設置施設が入り、かつ、前記出発前の充電量で現在位置から走行可能な範囲に入る設置施設が検索されるまで前記設置施設の検索を前記道路地図データベースをもとに繰り返し、検索された設置施設を案内すべき第２の設置施設として決定する最終設置施設判定部と、前記最終設置施設判定部により決定された前記案内すべき設置施設を、表示された前記道路地図上の案内経路上へ出力する出力部とを備えたことを特徴とする。
【発明の効果】
【０００８】
請求項１記載の発明によれば、目的地を設定し、目的地までの案内経路の検索結果が得られると、必要とする充電量を複数の充電スタンドで適切に分担するため、充電時間を含めた移動効率の向上を図れる効果がある。
請求項２記載の発明によれば、充電スタンドでの充電時間（滞在時間）を適切に設定できるため、充電時間を含めた移動効率の向上を図れる効果がある。
請求項３記載の発明によれば、一回の充電時間が、あらかじめ設定された充電スタンド一か所あたりの最大充電時間の範囲内になるように前記案内経路上の適切な充電スタンドが検索され、案内経路上に表示出力される。したがって、電気自動車で移動する場合の移動形態、設置施設の特徴に合致した適切な充電を行うことの出来る充電スタンドをあらかじめ検索し移動効率の向上を図れる効果がある。
請求項４記載の発明によれば、充電スタンドにおける最大充電時間が変更された場合、その最大充電時間の変更に応じた適切な充電スタンドを検索することが可能になる。したがって、電気自動車で移動する場合の移動形態、設置施設の特徴に合致した適切な充電を行う上でより一層有利となる。
請求項５記載の発明によれば、充電スタンドが設置されている施設の特徴に合致した充電時間（滞在時間）を設定できるため、充電を行う上でより一層有利となる。
請求項６記載の発明によれば、目的地を設定し、目的地までの案内経路の検索結果が得られると、目的地までの距離と、滞在時間が長くなるほど設置施設の優先順位が高くなるようにあらかじめ設定されている優先順位表を利用し、前記優先順位に従った、適切な充電を行うことの出来る設置施設が前記案内経路に沿って順次検索され、前記案内経路に沿って表示される。したがって、電気自動車で移動する場合の移動形態、設置施設の特徴に合致した適切な充電を行うことの出来る充電スタンドをあらかじめ検索し移動効率の向上を図れる効果がある。
【図面の簡単な説明】
【０００９】
【図１】本発明の第１の実施の形態のナビゲーション装置の構成を示す概略構成図である。
【図２】本発明の第１の実施の形態のナビゲーション装置により検索される充電スタンドを示す説明図である。
【図３】本発明の第１の実施の形態のナビゲーション装置の充電スタンド案内方法を示すフローチャートである。
【図４】本発明の第２の実施の形態のナビゲーション装置の構成を示す概略構成図である。
【図５】本発明の第２の実施の形態のナビゲーション装置の充電スタンド案内方法を示すフローチャートである。
【図６】本発明の第２の実施の形態のナビゲーション装置における充電スタンド案内方法を示す説明図である。
【図７】本発明の第２の実施の形態のナビゲーション装置における充電スタンド案内方法を示す説明図である。
【図８】本発明の第３の実施の形態のナビゲーション装置の構成を示す概略構成図である。
【図９】本発明の第３の実施の形態のナビゲーション装置における充電スタンド案内方法を示すフローチャートである。
【図１０】本発明の第３の実施の形態のナビゲーション装置の優先順位表を示す説明図である。
【図１１】本発明の第３の実施の形態のナビゲーション装置における充電施設案内方法を示す説明図である。
【発明を実施するための形態】
【００１０】
（第１の実施の形態）
以下、本発明の第１の実施の形態について説明する。
図１は、この実施の形態の充電スタンド案内方法が適用されるナビゲーション装置の構成を示す概略構成図である。図２は、この実施の形態の充電スタンド案内方法により検索される充電スタンドを示す説明図である。
このナビゲーション装置は、ＧＰＳ受信部１、現在位置検出部２、経路検索部３、入力部４、出力部５、道路地図データベース６、総充電量算出部７、バッテリ管理部８、充電回数算出部９、充電スタンド検索部１０および表示制御部１１を備えている。
ＧＰＳ受信部１は、ＧＰＳ衛星から送られてくる電波に乗せられている時刻情報を受信する。
現在位置検出部２は、ＧＰＳ受信部１が受信した時刻情報をもとに、前記時刻情報を受信した位置の緯度、経度、高さを計算して検出する。
経路検索部３は、現在位置から目的地までの案内経路を、道路地図データベース６から読み出した道路地図情報をもとに検索し、さらに前記現在位置から前記目的地までの前記案内経路上の距離を算出する。
【００１１】
入力部４はタッチパネル装置を備え、目的地、優先道路および経由地などのナビゲーション装置への各種入力データの取り込みを行う他、充電スタンド１か所あたりの最大充電時間Ｔｃ、目的地到着時に自車両のバッテリに残存しているべき残充電量あるいは到着後の走行予定距離を含むディスプレイ上から入力操作された各種設定データを取り込む。
出力部５は、ナビゲーション装置を操作するための各種操作画面をディスプレイへ出力し、また、現在位置、目的地、案内経路などを道路地図とともにディスプレイへ表示出力する。また、後述する充電スタンド検索部１０により検索された現在位置から目的地までの案内経路周辺の充電スタンドを、道路地図とともにディスプレイへ出力する。
【００１２】
道路地図データベース６は、ハードディスクあるいはＤＶＤなどの記録メディアにより構成され、充電スタンドの位置情報などの充電スタンド情報を含む全国の道路地図およびその距離情報を道路地図情報として保存しており、必要に応じて読み出される。
総充電量算出部７は、目的地到着時にバッテリに残充電量が確保され残っている前提で、前記目的地までこの電気自動車が走行するために充電されるべき総充電量Ｖ１を算出する。この残充電量は、入力部４からあらかじめ入力され設定された目的地到着時のバッテリの残充電量である。
【００１３】
バッテリ管理部８は、この電気自動車が搭載しているバッテリの現在の残容量の算出、前記バッテリの充電電流、放電電流の制御などを含むバッテリ管理を行う。
充電回数算出部９は、目的地まで走行するのに必要な、途中の充電スタンドで充電を行う回数を算出する。この充電回数の算出は次のようにして行われる。先ず、総充電量算出部７で算出された“目的地まで走行するのに必要な現在地から目的地までの距離に応じたバッテリの総充電量Ｖ１”に“目的地到着時のバッテリの残容量”を加算したバッテリ容量を求め、このバッテリ容量から現在のバッテリの残容量を減算することで目的地まで走行するのに必要なバッテリ充電量を求める。そして、このバッテリ充電量を、入力部４から入力された充電スタンド１か所あたりの最大充電時間Ｔｃから換算された充電スタンド一か所あたりでバッテリへ充電可能な充電量で除算し、目的地までの案内経路周辺の充電スタンドが均等に設置されているものとしたときの、前記目的地まで走行するのに必要な必要充電回数Ｃｃを算出する。
【００１４】
充電スタンド検索部１０は、“現在位置から前記目的地までの前記案内経路の距離”を前記算出された必要充電回数Ｃｃで除算することで、前記案内経路上あるいは案内経路周辺の充電スタンド間の距離、仮想充電スタンド間距離ＬＬを算出し、前記目的地から前記算出した仮想充電スタンド間距離ＬＬの範囲内であって、案内経路上を前記目的地から現在位置の方向へ戻ったときの前記目的地から最も遠くにある充電スタンドを、最後に充電する最終充電スタンドとして道路地図データベース６にアクセスすることで検索する。さらに、前記最終充電スタンドを基点として仮想充電スタンド間距離ＬＬの範囲内で、前記案内経路上を現在位置の方向へ辿ったときの前記基点から最も遠くにある充電スタンドを次の基点として道路地図データベース６にアクセスすることで検索する。そして、この基点とする充電スタンドの検索は、少なくとも前記算出した充電回数分の充電スタンドが検索されることになる。なお、充電回数算出部９と充電スタンド検索部１０とは充電スタンド管理部１３を構成している。
【００１５】
表示制御部１１は、出力部５におけるディスプレイへの各種データの表示制御を行うとともに、充電スタンド検索部１０により検索された各充電スタンドに対応させて、入力部４からあらかじめ入力された充電スタンドでの１回あたりの最大充電時間Ｔｃを、後述する図２に示す充電時間出力部４１１、４１２、４１３、４１４へ表示する。
【００１６】
図３は、この実施の形態のナビゲーション装置に適用される充電施設案内方法の動作を示すフローチャートであり、以下、このフローチャートに従って説明する。
先ず、電気自動車の運転者あるいは同乗者により入力操作された、ナビゲーション装置の入力部４から必要な各種情報、目的地、目的地到着時の残存するバッテリ充電量あるいは目的地到着後の走行予定距離、充電スタンド一か所あたりの最大充電時間Ｔｃなどの各種情報を取り込む（ステップＳ１）。このときの目的地の入力はナビゲーション装置が備えている登録情報から選択したり、あるいは施設、電話番号などから目的地を設定する目的地設定機能により行うことが可能である。この目的地が設定され、さらに経由地、優先道路の指定などが入力操作されると、ナビゲーション装置の経路検索部３は、自車両の現在位置から前記設定された目的地までの案内経路を道路地図データベース６に保存されている道路地図情報をもとに検索し、出力部５のディスプレイへ道路地図データベース６から読み出した道路地図と、前記検索した案内経路とを出力する。
【００１７】
続いて、目的地到着時に前記残充電量が確保される前提で前記目的地まで走行するために充電されるべき総充電量Ｖ１を総充電量算出部７が算出する（ステップＳ２）。この総充電量Ｖ１は次のようにして算出される。経路検索部３が検索した目的地までの案内経路の距離Ｌ（Ｋｍ）と、自車両が搭載しているバッテリが満充電された状態のエネルギー量ｘ（Ｗｈ）と、バッテリが満充電された状態で走行可能な距離とから、バッテリに蓄えられた充電量の単位エネルギーあたりの走行距離、つまり電費ｙが明らかになる。
さらに、目的地までの案内経路の距離Ｌ／電費ｙから、目的地まで走行するのに必要なバッテリのエネルギー量、つまり目的地まで走行するのに必要なバッテリ充電量ａ（Ｗｈ）が求められる。そして、目的地へ到着した時点で残しておきたいバッテリ充電量、残充電量をｎ（Ｗｈ）とし、さらに現在、自車両のバッテリに蓄えられている充電量をｐ（Ｗｈ）とすると、目的地まで走行するのに必要な総充電量Ｖ１は、“目的地まで走行するのに必要な充電量ａ（Ｗｈ）”＋“目的地到着時にバッテリに残しておきたいバッテリ充電量ｎ（Ｗｈ）”−“現在、自車両のバッテリに蓄えられている充電量ｐ（Ｗｈ）”から求められる。
“目的地到着時にバッテリに残しておきたい充電量ｎ（Ｗｈ）”は、ステップＳ１で入力された目的地到着時の残充電量、あるいは、目的地到着後の走行予定距離をｑ（Ｋｍ）として“目的地到着後の走行予定距離ｑ”／電費ｙから求められる。
【００１８】
続いて、前記求めた目的地まで走行するのに必要な総充電量Ｖ１を、前記ステップＳ１で入力部４から入力された充電スタンド一か所あたりの最大充電時間Ｔｃから換算された充電スタンド一か所あたりでバッテリへ充電可能な充電量で除算し、目的地まで充電スタンドが案内経路周辺に均等に設置され、各充電スタンドに均等に充電時間を割り当てるとしたときの、前記目的地まで走行するのに必要な必要充電回数Ｃｃを算出する（ステップＳ３）。
【００１９】
充電スタンド検索部１０は、“現在位置から前記目的地までの前記案内経路の距離”を前記算出された必要充電回数Ｃｃで除算することで、前記案内経路周辺の充電スタンド間の仮想的な間隔、すなわち仮想充電スタンド間距離ＬＬとして算出し（ステップＳ４）、前記目的地から前記算出した充電スタンド間の仮想充電スタンド間距離ＬＬの範囲内であって、前記目的地から案内経路上を現在位置の方向へ辿ったときの最も遠くにある充電スタンドを道路地図データベース６にアクセスすることで検索する（ステップＳ５）。この場合、図２に示す充電スタンドＳＳ２が検索される。
【００２０】
さらに、前記充電スタンドＳＳ２を案内経路上で最終案内する最終充電スタンドとして、その最終充電スタンドを基点として前記案内経路上を現在位置の方向へ前記仮想充電スタンド間距離ＬＬだけ辿り、このときの仮想充電スタンド間距離ＬＬの範囲内の案内経路上あるいはその近辺にある前記基点から最も遠くにある充電スタンドを道路地図データベース６にアクセスすることで検索する（ステップＳ６）。この場合、図２に示す充電スタンドＳＳ４が検索される。
【００２１】
続いて、ステップＳ３で求めた必要充電回数分の充電スタンドを検索したか否かを判定し（ステップＳ７）、必要充電回数分の充電スタンドの検索が完了していなければ、基点にする充電スタンドをステップＳ６で検索した充電スタンドに置き換えて（ステップＳ８）、ステップＳ６へ戻る。この結果、ステップＳ６では、今度は充電スタンドＳＳ４を基点にして前記案内経路上を現在位置の方向へ仮想充電スタンド間距離ＬＬだけ辿り、このときの仮想充電スタンド間距離ＬＬの範囲内の案内経路上あるいはその近辺にある、前記基点とした充電スタンドＳＳ４から最も遠くにある充電スタンドを道路地図データベース６にアクセスすることで検索する。この場合、図２に示す充電スタンドＳＳ５が検索される。
【００２２】
このようにしてステップＳ３で求めた必要充電回数分の充電スタンドを検索し終わると、検索した充電スタンドＳＳ２、ＳＳ４、ＳＳ５、ＳＳ７を、案内経路が表示出力されている道路地図データベース６から読み出した道路地図上へ、他の充電スタンドと識別可能な表示形態で出力する（ステップＳ９）。
【００２３】
以上のようにして検索された必要充電回数分の充電スタンドが、図２に示すように案内経路の表示出力されている道路地図上へ表示される。図２に示す例では、現在位置から目的地までの案内経路が道路地図上へ表示出力されており、さらに前記案内経路上あるいはその近辺にある必要充電回数分の充電スタンド検索部９で検索された充電スタンドＳＳ２、ＳＳ４、ＳＳ５、ＳＳ７が他の充電スタンドと識別可能な表示形態で出力されている。さらに、充電スタンドＳＳ２、ＳＳ４、ＳＳ５、ＳＳ７には、各充電スタンドとの対応関係が明らかになるように、ステップＳ１で入力された充電スタンド一か所あたりの最大充電時間Ｔｃ、例えば“２０分”が表示制御部１１により充電時間出力部４１１、４１２、４１３、４１４へ表示される。
【００２４】
以上説明したように、この実施の形態によれば、目的地を設定し、目的地までの案内経路の検索結果が得られると、一回の充電時間が、あらかじめ設定された充電スタンド一か所あたりの最大充電時間Ｔｃの範囲内になるように前記案内経路上の適切な充電スタンドが検索され、案内経路上に表示出力される。この充電スタンドの検索結果に従って、検索された充電スタンドで充電を行いながら走行すると、一カ所の充電スタンドに長時間充電のため停車することなく、複数の充電スタンドで短時間の充電を行いながら、全体として目的地まで走行するのに必要な充電量を確保しつつ走行できる。
【００２５】
このため、移動中の休憩を兼ねて充電スタンドでの充電を行う場合などでは、休憩を兼ねた軽い食事をする一方で、充電スタンドで充電を行うことが可能になる。また、配送車による荷物配送の経路をあらかじめ設定できる場合などでは、あらかじめ設定した経路に従って荷物の配送、配達を行う一方で、充電スタンドで充電を行うことが可能になり、それぞれの車固有の移動形態に合致した適切な充電スタンドをあらかじめ知って複数の充電スタンドで充電時間を分散させながら移動できる。また、車により移動するとき、長時間停車していたくないような場所の充電スタンドで無用に長時間、充電のために停車しなければならないなどの状況を無くすことができ、運転者や同乗者は充電時間を休憩や軽い食事に利用しなが目的地まで移動できるなど、電気自動車で移動する場合の移動形態、設置施設の特徴に合致した適切な充電を行うことの出来る充電スタンドをあらかじめ検索し移動効率の向上を図れる効果がある。
【００２６】
（第２の実施の形態）
次に本発明の第２の実施の形態について説明する。
図４は、この実施の形態の充電スタンド案内方法が適用されるナビゲーション装置の構成を示す概略構成図である。図４において図１と同一または相当の箇所については同一の符号を付し説明を省略する。
この実施の形態では、表示制御部１２は、出力部５のディスプレイへの各種データの表示制御を行うとともに、第１の実施の形態で説明した充電スタンド検索部１０により検索された各充電スタンドに対応させて、入力部４からあらかじめ入力された充電スタンドでの１回あたりの最大充電時間Ｔｃを、後述する図６に示す充電時間出力部４１１、４１２、４１３、４１４へ表示する。さらに、各充電スタンドに対応させて表示された最大充電時間Ｔｃを、各充電スタンドごとに例えば１０分単位で最大充電時間Ｔｃを変更可能にするための充電時間変更操作部４１１Ａ、４１２Ａ、４１３Ａ、４１４Ａを表示する。
また、この実施の形態では、経路検索部３に充電スタンド再計算部１０１が構成されている。充電スタンド再計算部１０１は、充電時間変更操作部４１１Ａ、４１２Ａ、４１３Ａ、４１４Ａに表示された最大充電時間Ｔｃが変更操作されると、その最大充電時間Ｔｃの変更に応じて案内経路上の適切な充電スタンドを再計算する。すなわち、最大充電時間Ｔｃが変更操作されると、変更された充電時間に基づいて目的地側の充電スタンドについて仮想充電スタンド間距離を再算出し、前記充電スタンド検索部で検索された充電スタンドの再検索を行う。
【００２７】
次に動作について説明する。
図５は、この実施の形態のナビゲーション装置に適用される充電スタンド案内方法の動作を示すフローチャートである。図６および図７は、この実施の形態の充電スタンド案内方法により検索される充電スタンドを示す説明図である。
第１の実施の形態で図２に一例として示したように案内経路Ｒに沿って充電スタンドＳＳ２、ＳＳ４、ＳＳ５およびＳＳ７が検索されている。第１の実施の形態では最大充電時間Ｔｃは各充電スタンド共通の２０分であったが、この実施の形態では図６に示すように充電スタンドＳＳ４の最大充電時間Ｔｃが２０分から３０分へ変更される。この最大充電時間Ｔｃが変更される理由は、例えば充電スタンドＳＳ４の近くにレストランがあって昼の食事をとる時間を充電時間にあてることができるため、２０分から３０分へ変更する。
【００２８】
先ず、充電スタンド再計算部１０１は、図２に示すように案内経路Ｒに沿って検索された充電スタンドＳＳ２、ＳＳ４、ＳＳ５およびＳＳ７に対し最大充電時間Ｔｃの変更操作が行われたか否かを判定する（ステップＳ２１）。この場合、図６に示すように充電スタンドＳＳ４の最大充電時間Ｔｃが２０分から３０分へ変更されたことから、この最大充電時間Ｔｃが変更された充電スタンドとして充電スタンドＳＳ４を判定し（ステップＳ２２）、続いて充電スタンドＳＳ４を基点にして、元の最大充電時間Ｔｃに対する変更された最大充電時間Ｔｃ´の割合を演算する（ステップＳ２３）。
【００２９】
次に、ステップＳ２３で演算した“元の最大充電時間Ｔｃに対する変更された最大充電時間Ｔｃ´の割合”に第１の実施の形態で算出した“仮想充電スタンド間距離ＬＬ“を乗算して変更後の仮想充電スタンド間距離ＬＬを求める（ステップＳ２４）。この場合の例では、“変更された最大充電時間Ｔｃ”／“元の最大充電時間Ｔｃ”は“１．５”であり、“変更前の仮想充電スタンド間距離ＬＬ”×１．５が変更後の仮想充電スタンド間距離ＬＬとなる。
そして、前記基点から仮想充電スタンド間距離ＬＬの範囲内で最も離れた案内経路Ｒ沿いの充電スタンドを道路地図データベース６に保存してある充電スタンド情報をもとに検索する（ステップＳ２５）。この例では、検索される充電スタンドは充電スタンドＳＳ１である。
前記基点から最も離れた案内経路Ｒ沿いの充電スタンドＳＳ１を検索すると、ステップＳ２２で判定した最大充電時間Ｔｃの変更された充電スタンドと、新たに検索された充電スタンドＳＳ１との間の既検索充電スタンドＳＳ２を無効にして対象とする充電スタンドから外す（ステップＳ２６）。
そして、ステップＳ２５で検索した充電スタンドＳＳ１の最大充電時間Ｔｃを表示する。この場合、最大充電時間“２０分”を、図７に示すように再表示する（ステップＳ２７）。
【００３０】
そして、充電スタンドＳＳ１で“２０分”の充電を行なった場合の充電量で充電スタンドＳＳ１から走行可能な距離の範囲内に目的地が入るか判定を行い（ステップＳ２８）、前記走行可能な距離の範囲内に目的地が入ることになれば充電スタンドの検索を終了する。一方、前記走行可能な距離の範囲内に目的地が入らない場合、最大充電時間“２０分”で充電を行なった場合の充電量で走行可能な距離の範囲内の、ステップＳ２５で検索された充電スタンドＳＳ１から最も離れた次の充電スタンドを充電スタンド再計算部１０１が再計算し再検索する（ステップＳ２９）。この結果、次の充電スタンドの検索結果が得られるとステップＳ２６へ戻り、その充電スタンドについての表示を行い、さらに最大充電時間“２０分”を表示し（ステップＳ２７）、前記検索結果として得られた充電スタンドについてステップＳ２８以降の処理を、最大充電時間“２０分”の充電を行なった場合の充電量で走行可能な距離の範囲内に目的地が入るまで繰り返す。
【００３１】
なお、以上の説明では、最大充電時間Ｔｃが２０分から３０分へ変更される場合を例に説明したが、最大充電時間Ｔｃが２０分から例えば１０分などのように短縮される場合にも、最大充電時間Ｔｃの変更に応じた適切な充電スタンドを充電スタンド再計算部１０１が再計算し、検索することが可能である。
【００３２】
以上説明したように、この実施の形態によれば、充電スタンドにおける最大充電時間Ｔｃが変更された場合、その最大充電時間Ｔｃの変更に応じた適切な充電スタンドを充電スタンド再計算部１０１が再計算し、検索することが可能になる。このため、この充電スタンドの検索結果に従って、検索された充電スタンドで充電を行いながら走行すると、一カ所の充電スタンドに長時間充電のため停車することなく、複数の充電スタンドで短時間の充電を行いながら、全体として目的地まで走行するのに必要な充電量を確保しつつ走行できる。さらに特定の充電スタンドでは、例えば昼の食事をとるため、あるいは近くの観光地を訪れるために他の充電スタンドに比べて２倍、３倍の充電時間を割り当てるなどの充電スタンド固有の状況を考慮した最大充電時間の変更が可能になるため、移動中の休憩を兼ねて充電スタンドでの充電を行う場合などでは、特定の充電スタンドでは休憩を兼ねて観光や昼の食事をする一方で、他の充電スタンドに比べて２倍、３倍の充電時間を割り当てて充電を行うことが可能になる。また配送車による荷物配送の経路をあらかじめ設定できる場合などでは、他の充電スタンドに比べてより多くの荷物の配送、配達先が近隣にある充電スタンドに対し２倍、３倍の充電時間を割り当てることで、その充電時間中に荷物の配達を行うなど、充電時間を有効に利用して移動でき、電気自動車で移動する場合の移動形態、設置施設の特徴に合致した適切な充電を行うことの出来る充電スタンドをあらかじめ検索し、移動効率を向上できる効果がある。
【００３３】
（第３の実施の形態）
以下、本発明の第３の実施の形態について説明する。
図８は、この実施の形態の充電スタンド案内方法が適用されるナビゲーション装置の構成を示す概略構成図である。
このナビゲーション装置は、ＧＰＳ受信部１５１、現在位置検出部１５２、経路検索部１５３、入力部１５４、出力部１５５、道路地図データベース１５６、総充電量算出部１５７、バッテリ管理部１５８、設置施設検索部１６０および表示制御部１６２を備えている。
ＧＰＳ受信部１５１は、ＧＰＳ衛星から送られてくる電波に乗せられている時刻情報を受信する。
現在位置検出部１５２は、ＧＰＳ受信部１５１が受信した時刻情報をもとに、前記時刻情報を受信した位置の緯度、経度、高さを計算して検出する。
【００３４】
経路検索部１５３は、最終設置施設判定部２０１、優先順位表選択部２０２、滞在時間充電量計算部２０３および優先順位表設定手段３０１を備えている。経路検索部１５３は、現在位置から目的地までの案内経路を、道路地図データベース１５６から読み出した道路地図情報をもとに検索し、さらに、前記現在位置から前記目的地までの案内経路上の距離を算出する。
最終設置施設判定部２０１は、現在位置から目的地までの案内経路上の充電スタンドを備えた設置施設の内で、出発前のバッテリに残っている充電量で、現在位置から後述する設置施設検索部１６０または設置施設再検索部２０４が検索した設置施設まで走行可能であるか否かを判定し、現在位置から前記設置施設まで走行可能であると判定した場合には、その設置施設を最終設置施設とする。
【００３５】
優先順位表選択部２０２は、現在位置から目的地までの案内経路の距離をもとに決定された遠目的地あるいは近目的地に応じた優先順位表を道路地図データベース１５６から選択する。なお、遠目的地は、現在位置から例えば６０Ｋｍ以上離れた遠距離にある目的地、近目的地は、現在位置から例えば６０Ｋｍ未満の距離にある目的地とする。図１０（ａ）は遠目的地に応じた設置施設とその滞在時間についての優先順位表、同図（ｂ）は近目的地に応じた設置施設とその滞在時間についての優先順位表の一例を示す。
図８に戻り、滞在時間充電量計算部２０３は、各設置施設の滞在時間に対応する充電時間、充電を行なった場合、バッテリに充電可能な充電量を計算する。
優先順位表設定手段３０１は、滞在時間が長くなるほど優先度が高くなるように前記滞在時間と対応させて充電スタンドの設置施設の優先順位を規定する優先順位表を道路地図データベース１５６に設定する。
入力部１５４は各種入力操作キーおよびタッチパネル装置を備え、目的地、優先道路および経由地などのナビゲーション装置への各種入力操作を受け付ける他、目的地到着時のバッテリの残充電量あるいは到着後の走行予定距離、設置施設とその滞在時間についての前記優先順位表を含む前記各種入力操作キーあるいはディスプレイ上から入力された各種設定データを取り込む。
出力部１５５は、ナビゲーション装置を操作するための各種操作画面を前記ディスプレイへ出力し、また、現在位置、目的地、案内経路などを道路地図とともに前記ディスプレイへ表示出力する。また、後述する設置施設検索部１６０、設置施設再検索部２０４により検索された現在位置から目的地までの案内経路上の充電スタンドを備えた設置施設を、道路地図とともに前記ディスプレイへ出力する。
【００３６】
道路地図データベース１５６は、ハードディスクあるいはＤＶＤなどの記録メディアにより構成され、充電スタンドを備えた設置施設情報、前記設置施設の位置情報を含む全国の道路地図情報、前記設置施設とその滞在時間についての優先順位表などを保存しており、必要に応じて読み出される。図１０は優先順位表の一例を示す説明図であり、同図（ａ）は遠目的地に応じた設置施設とその滞在時間についての優先順位表、同図（ｂ）は近目的地に応じた設置施設とその滞在時間についての優先順位表を示す。
この優先順位表は、充電スタンドを備えた設置施設の優先度を規定している。そして、この優先順位表は目的地が遠距離の範囲内（例えば６０Ｋｍ以上の距離範囲）である遠目的地の場合と、目的地が中距離あるいは近距離の範囲内（６０Ｋｍ未満の距離範囲）である近目的地に応じてそれぞれ設定される。この優先順位表では、上段になるほど優先順位が高くなるように設定されており、また優先順位が高い設置施設ほど滞在時間が長くなるように設定されている。
【００３７】
遠目的地用の優先順位表では、設置施設の優先順位は、旅行あるいは出張などで遠くへ移動する状況と設置施設の特徴とから判断して観光地やサービスエリアほど優先度は高く滞在時間が長く設定されている。例えば、観光地である設置施設と、コンビニである設置施設との優先度は、観光地のほうが遠距離にあって、滞在時間が長くなることから観光地である設置施設の方がコンビニに比べて優先順位は高く設定される。
また、近目的地用の優先順位表では、設置施設の優先順位は、出かける頻度、短時間で出かける状況と設置施設の特徴とから判断してコンビニやスーパーほど優先度は高く滞在時間が長く設定されている。例えば、コンビニである設置施設と、サービスエリアである設置施設との優先度は、コンビニのほうが近距離にあって出かける頻度が大きく、短時間で出かける設置施設であって、滞在時間が長くなることからコンビニである設置施設の方がサービスエリアに比べて優先順位は高く設定される。
総充電量算出部１５７は、前記目的地までこの電気自動車が充電しながら走行し、目的地到着時には一定量の残充電量が確保されているときの総充電量Ｖ１を算出する。目的地到着時の前記残充電量は、目的地に到着したときバッテリに残しておくべき充電量として入力部１５４からあらかじめ入力され設定される。
【００３８】
バッテリ管理部１５８は、この電気自動車が搭載しているバッテリの現在の充電量の算出、前記バッテリの充電電流、放電電流の制御などを含むバッテリ管理を行う。
【００３９】
設置施設検索部１６０は設置施設再検索部２０４を備えている。
設置施設検索部１６０は“現在位置から前記目的地までの前記案内経路の距離”をもとに判定された遠目的地あるいは近目的地に応じて、優先順位表選択部２０２で選択された優先順位表に設定された優先順位で、案内経路上の前記目的地を基準にして、“その設置施設の滞在時間中に充電を行なったときのバッテリ充電量である滞在時間充電量”≧“目的地到着時に残しておきたい残充電量”＋“設置施設から目的地までの走行に必要な充電量“の条件を満足する範囲に入る設置施設を判定する。そして、前記条件を満足する設置施設を道路地図データベース１５６の道路地図上の設置施設情報から検索する。そして、検索された設置施設が複数ある場合には、前記条件を満足する範囲に入る設置施設のうち前記目的地から最も離れた設置施設を案内する設置施設として判定する。
設置施設再検索部２０４は、前記設置施設が設置施設検索部１６０により前記条件を満足する範囲に入る設置施設が検索できない判定された場合に、前記優先順位表に従って優先順位を一段下げた設置施設について前記条件をもとに再検索する。
【００４０】
表示制御部１６２は、出力部１５５におけるディスプレイへの各種データの表示制御を行うとともに、設置施設検索部１６０により検索された設置施設のディスプレイへの表示を制御する。
【００４１】
図９は、この実施の形態のナビゲーション装置に適用される充電施設案内方法の動作を示すフローチャートである。図１１は、この実施の形態のナビゲーション装置における充電施設案内方法を示す説明図である。以下、この実施の形態のナビゲーション装置に適用される充電施設案内方法の動作を図９のフローチャートに従って説明する。
先ず、ナビゲーション装置の入力部４から、電気自動車の運転者あるいは同乗者により入力された目的地、目的地到着時の残存する充電量あるいは目的地到着後の走行予定距離、優先順位表の滞在時間を変更するときの変更滞在時間などの各種情報を取り込む（ステップＳ４１）。
このときの目的地の入力はナビゲーション装置が備えている登録情報から選択したり、あるいは施設、電話番号などから目的地を設定する目的地設定機能により行うことが可能である。この目的地が設定され、さらに経由地、優先道路の指定などが入力操作されると、ナビゲーション装置の経路検索部１５３は、自車両の現在位置から前記設定された目的地までの案内経路を道路地図データベース１５６に保存されている道路地図をもとに検索し、現在位置から前記目的地までの距離を算出し、出力部１５５のディスプレイへ道路地図データベース１５６から読み出した道路地図、前記検索した案内経路、現在位置から前記目的地までの距離などの案内情報を出力する。
【００４２】
続いて、優先順位表選択部２０２は、前記現在位置から前記目的地までの距離をもとに前記目的地について、遠目的地であるか、あるいは近目的地であるかの判定を行い、その判定結果に応じて、優先順位表を選択し、使用する優先順位表を決定する（ステップＳ４２）。
【００４３】
次に、案内経路上で、前記決定した優先順位表に従って、先ず優先順位が最上位となる設置施設に対応する案内経路上の設置施設について、その滞在時間中に充電を行なったときのバッテリ充電量が、案内経路上の前記設置施設から目的地まで走行が可能であって、かつ、ステップＳ４１で入力した目的地到着時に残しておきたい残充電量を確保できる範囲に入る設置施設を判定する（ステップＳ４３）。つまり、前記案内経路上の設置施設について、その滞在時間中に充電を行なったときのバッテリ充電量を“滞在時間充電量”とすると、“滞在時間充電量”≧“目的地到着時に残しておきたい残充電量”＋“設置施設から目的地までの走行に必要な充電量“の条件を満足する範囲（目的地からの距離範囲Ｌ１）に入る設置施設を設置施設検索部６０が検索し判定する。
【００４４】
図１１は、この条件をもとに設置施設検索部６０により判定される案内経路上の設置施設を示している。図１１に示す例では、使用される優先順位表は遠目的地に対応する図１０（ａ）に示される優先順位表、設置施設は観光地、滞在時間は６０分である。また、符号Ｒは現在位置から目的地までの間の案内経路、５０１、５０２は前記条件を満足する範囲（目的地からの距離範囲Ｌ１）内に入る２個の設置施設である。設置施設検索部６０は、優先順位表の設置施設である観光地に対応して規定されている滞在時間６０分を、充電時間６０分としたときの充電量である滞在時間充電量に換算し、“滞在時間充電量”≧“目的地到着時に残しておきたい残充電量”＋“設置施設から目的地までの走行に必要な充電量“の条件を満足する範囲に入る設置施設“観光地”を検索する。そして、検索した前記条件を満足する設置施設“観光地”が複数ある場合には目的地から最も遠い設置施設“観光地”を案内する設置施設として決定する。図１１では、充電時間６０分としたときの充電量から“目的地到着時に残しておきたい残充電量”を減算した残りの充電量で走行可能な距離が、目的地を基準にしてＬ１で示されている。この結果、前記条件を満足する範囲Ｌ１に入る設置施設“観光地”は設置施設５０１と設置施設５０２が検索される。そして、設置施設５０１と設置施設５０２のうち目的地から最も遠い設置施設“観光地”として設置施設５０２が案内する設置施設として決定される。
すなわち、判定された設置施設が１つである場合には、その設置施設を案内する設置施設として決定し、また、前記判定された設置施設が複数ある場合には目的地から最も離れた距離にある設置施設を案内する設置施設として決定する（ステップＳ４５）。
【００４５】
一方、設置施設検索部６０により前記条件を満足する範囲内の設置施設がないと判定されると、設置施設再検索部２０４は、前記優先順位表に従って優先順位が次に高い設置施設について、“滞在時間充電量”≧“目的地到着時に残しておきたい残充電量”＋“設置施設から目的地までの走行に必要な充電量“の条件を満足する範囲に入る設置施設を判定する（ステップＳ４４）。
この結果、前記条件を満足する範囲に入る設置施設を設置施設再検索部２０４が検索し判定すると、今回、優先順位表から読み出した最上位の優先順位より１つ優先度の低い設置施設を今回案内する設置施設に決定する（ステップＳ４５）。
一方、設置施設再検索部２０４は、前記条件を満足する範囲に入る設置施設が再度検索できないと判定すると、前記優先順位表の優先順位をさらに１つ下げ（ステップＳ４６）、ステップＳ４４の処理を前記条件を満足する範囲に入る設置施設が検索できるまで繰り返す。
【００４６】
このように、優先順位表に従って、案内する設置施設を道路地図データベース１５６の設置施設情報、設置施設の位置情報を含む道路地図情報をもとに検索する。この結果、案内する設置施設が検索できると、次に、最終設置施設判定部２０１は、出発前のバッテリに残っている充電量で現在位置から走行可能な範囲内に前記検索された設置施設が入っているか判定を行う（ステップＳ４７）。
図１１の符号ＬＬで示す範囲は出発前のバッテリに残っている充電量で現在位置から走行可能な範囲を示している。図１１に示す例では、案内する設置施設は設置施設５０２であり、最終設置施設判定部２０１は設置施設５０２について、出発前のバッテリに残っている充電量で現在位置から走行可能な範囲ＬＬ内に入っているか判定を行う。
この結果、前記検索された設置施設が前記出発前のバッテリに残っている充電量で現在位置から走行可能な範囲内にあれば、設置施設の検索を終了し、前記検索した設置施設を出力部１５５のディスプレイへ道路地図、案内経路とともに表示出力する（ステップＳ６１）。
すなわち、最終設置施設判定部２０１は、設置施設検索部１６０または設置施設再検索部２０４が検索した設置施設を第１の設置施設としたとき、第１の設置施設まで出発前の充電量で走行可能であるか否かを判定し、走行可能であると判定すると、第１の設置施設を案内すべき設置施設として決定する。
【００４７】
図１１の例では出発前のバッテリに残っている充電量で現在位置から走行可能な範囲ＬＬ内に前記設置施設５０２は入っていない。従って、前記検索された設置施設が、前記出発前のバッテリに残っている充電量で現在位置から走行可能な範囲内にない場合、最終設置施設判定部２０１は、ステップＳ４５で決定した設置施設より優先度を１つ下げた優先順位の設置施設を前記優先順位表に従って再検索する。この場合、ステップＳ４５で決定した設置施設を基点にして、前記再検索する設置施設に対応する滞在時間を充電時間とした充電量で走行可能な範囲に入る設置施設を検索し判定する。つまりステップＳ４５で決定した設置施設より優先度を１つ下げた優先順位の設置施設について、“滞在時間中、充電可能な充電量”≧“基点とした設置施設５０２まで走行可能な充電量”の条件を満足する範囲に入る設置施設を検索し判定する（ステップＳ４８）。
図１０（ａ）に示す優先順位表の例では、ステップＳ４５で決定した設置施設より優先度を１つ下げた優先順位の設置施設はサービスエリアであり、その滞在時間は２０分である。従って滞在時間２０分を充電時間とした充電量で走行可能な範囲に入る設置施設をステップＳ４５で決定した設置施設５０２を基点にして検索し判定する。図１１に示す例では、Ｌ２が設置施設５０２を基点にして滞在時間２０分を充電時間とした充電量で走行可能な範囲を示している。従って、“滞在時間中、充電可能な充電量”≧“基点とした設置施設５０２まで走行可能な充電量”の条件を満足する範囲Ｌ２に入る設置施設として設置施設５０３が検索され判定される。
そして、前記設置施設５０３を案内する次の設置施設として決定する（ステップＳ４９）。
【００４８】
さらに、最終設置施設判定部２０１は、前記決定した設置施設５０３について、出発前のバッテリに残っている充電量で現在位置から走行可能な範囲内に設置施設５０３が入っているか判定を行う（ステップＳ５０）。
この結果、前記基点にした設置施設が、自車両の出発前のバッテリに残っている充電量で現在位置から走行可能な範囲内にあれば、設置施設の検索を終了し、前記決定した設置施設を出力部１５５のディスプレイへ道路地図、案内経路とともに表示出力する（ステップＳ６１）。
【００４９】
図１１に示す例で、現在位置が設置施設５０３から離れた距離にあるような場合には、前記決定した設置施設５０３は、出発前のバッテリに残っている充電量で現在位置から走行可能な範囲には入らない。
このため、前記決定した設置施設５０３が出発前のバッテリに残っている充電量で現在位置から走行可能な範囲に入らない場合、ステップＳ４８の処理へ戻る。
このときのステップＳ４８の処理では、最終設置施設判定部２０１は、ステップＳ４９で決定した設置施設５０３より優先度を１つ下げた優先順位の設置施設を前記優先順位表に従って検索し、前記優先度を１つ下げた優先順位の設置施設について、対応する滞在時間を充電時間としたときの充電量で走行可能な、ステップＳ４９で決定した設置施設５０３を基点にしたときの範囲に入る設置施設を検索し判定する。
なお、ステップＳ４８の処理は、前記優先度を１つ下げた優先順位の設置施設について、対応する滞在時間を充電時間としたときの充電量で走行可能な前記範囲に入る設置施設が検索され、かつ、出発前のバッテリに残っている充電量で現在位置から走行可能な範囲内に前記検索された設置施設が入るまで繰り返される。
【００５０】
すなわち、最終設置施設判定部２０１は、前記の第１の設置施設（設置施設５０３）まで出発前の充電量で走行可能でないと判定すると（ステップＳ４７）、第１の設置施設を案内すべき設置施設として決定すると共に、優先順位表に従って優先順位を前記第１の設置施設に対して一段下げた設置施設について、その滞在時間を充電時間としたときの充電量で走行可能な範囲に前記第１の設置施設が入り、かつ、出発前の充電量で現在位置から走行可能な範囲に入る設置施設が検索されるまで設置施設の検索を道路地図データベース１５６をもとに繰り返し、検索された設置施設を案内すべき第２の設置施設として決定する（ステップＳ４８、Ｓ４９、Ｓ５０、Ｓ６１）。
【００５１】
以上説明したように、この実施の形態によれば、目的地を設定し、目的地までの案内経路の検索結果が得られると、目的地までの距離と、滞在時間が長くなるほど設置施設の優先順位が高くなるようにあらかじめ設定されている優先順位表を利用し、前記優先順位に従った、適切な充電を行うことの出来る設置施設が前記案内経路に沿って順次検索され、前記案内経路に沿って表示される。
従って、検索された設置施設で充電を行いながら走行すると、移動中の観光地や休憩場所などの設置施設では設置施設の特徴に合致した充電時間で充電を行うことが可能になり、観光や休憩をする一方で、その滞在時間に適切な充電量の充電を行うことが可能になる。
この結果、検索された各設置施設ごとの状況に適合させた適切な充電量の充電を行ないながら、複数の充電スタンドで充電時間を分散させて移動でき、長時間滞在したくない設置施設で長時間の充電時間を無為に費やすなどの、電気自動車での移動するときの設置施設と充電時間とのミスマッチを回避でき、車により移動するときの移動形態、設置施設の特徴に合致した適切な充電時間で充電を行う充電スタンドを検索でき、移動効率の向上を図れる効果がある。
【符号の説明】
【００５２】
１、１５１……ＧＰＳ受信部、２、１５２……現在位置検出部、３、１５３……経路検索部、４、１５４……入力部（目的地設定手段、残充電量設定手段、充電時間設定手段）、５、１５５……出力部、６、１５６……道路地図データベース、７、１５７……総充電量算出部、８、１５８……バッテリ管理部、９……充電回数算出部、１０……充電スタンド検索部、１１……表示制御部（目的地設定手段、残充電量設定手段、充電時間設定手段）、１３……充電スタンド管理部、１０１……充電スタンド再計算部、１６０……設置施設検索部、２０１……最終設置施設判定部、２０２……優先順位表選択部、２０３……滞在時間充電量計算部、２０４……設置施設再検索部、３０１……優先順位表設定手段。
【図１】
2012198081.tif 000003
【図２】
2012198081.tif 000004
【図３】
2012198081.tif 000005
【図４】
2012198081.tif 000006
【図５】
2012198081.tif 000007
【図６】
2012198081.tif 000008
【図７】
2012198081.tif 000009
【図８】
2012198081.tif 000010
【図９】
2012198081.tif 000011
【図１０】
2012198081.tif 000012
【図１１】
2012198081.tif 000013